(57)【特許請求の範囲】
【請求項１】
ケースの壁に電線挿通用の打抜き部を打抜き切断部を介して形成したケースの壁の打抜き構造であって、打抜き切断部を除く打抜き部と壁との間にスリットを形成し、打抜き部を打抜いた打抜き孔の孔縁に残るブッシングをスリットに係入して壁側に装着して成ることを特徴とするケースの壁の打抜き構造。
【請求項２】
打抜き部と壁とを接続している打抜き切断部の打抜き部側の巾に比べて壁側の巾を小にして成ることを特徴とする請求項１記載のケースの壁の打抜き構造。
【発明の詳細な説明】
【０００１】
【発明の属する技術分野】
本発明は、ケースの壁の打抜き構造に関し、詳しくは、分電盤のようなケースの壁に形成した電線挿通用の打抜き部を必要に応じて打抜く構造に関し、更に詳しくは、打抜き孔に装着するブッシングを保管する技術に係るものである。
【０００２】
【従来の技術】
一般に、住宅用分電盤にあっては、分電盤のケース内に収納された複数の分岐開閉器と外部の負荷とを接続するために、必要な時に必要な位置のみを打抜いて電線を挿通させる打抜き部をケースの底面や側面のいたるところに形成している。
【０００３】
ところで、打抜き部は、ケースの壁に打抜き切断部を介して複数個が並設されており、必要な箇所の打抜き部を打抜き、その打抜き孔に電気的な絶縁を図るブッシングを装着するのである。
【０００４】
【発明が解決しようとする課題】
ところで、ブッシングは別に保管しておかなければならず、ブッシングは紛失しやすいものとなっていた。又、施工現場では、打抜き部を打抜くうえに打抜いた孔にブッシングを装着させる作業を要し、作業性も低いものとなっていた。
本発明はこのような問題を解消しようとするものであり、打抜き部の簡単な改良により打抜き部の構成を有効に利用して、ブッシングを保管でき、ブッシングの紛失を防ぎ、且つ、施工現場においてブッシングを装着する作業をなくし、更に、ブッシングが予め装着されていながら、打抜き孔を打抜いた際のばりがブッシングの内面に出るようなことがなく、ばりにて打抜き孔内に挿入された電線の被覆を損傷するおそれのないケースの壁の打抜き構造を提供することを課題とする。
【０００５】
【課題を解決するための手段】
請求項１においては、ケース１の壁３に電線挿通用の打抜き部２を打抜き切断部４を介して形成したケースの壁の打抜き構造であって、打抜き切断部４を除く打抜き部２と壁３との間にスリットＳを形成し、打抜き部２を打抜いた打抜き孔７の孔縁に残るブッシングＢをスリットＳに係入して壁３側に装着して成ることを特徴とするものである。
【０００６】
請求項２においては、打抜き部２と壁３とを接続している打抜き切断部４の打抜き部２側の巾Ｗ１  に比べて壁３側の巾Ｗ２  を小にして成ることを特徴とするものである。
（作用）
請求項１においては、打抜き部２の周部に形成したスリットＳにブッシングＢが装着されていて、ブッシングＢの保管をなくすとともに施工現場においてブッシングＢを装着する作業をもなくすことができ、作業性を高めることができる。
【０００７】
請求項２においては、打抜き部２の打抜きに際して、打抜き切断部４は強度が弱い壁３側から切断されるのであり、したがって、切断箇所に生じるばりがブッシングＢの内面から突出することがなく、ブッシングＢ内に挿通される電線の被覆を破損するような虞がなく、安全を確保することができる。
【０００８】
【発明の実施の形態】
本発明の実施の形態を図面に基づいて詳述する。
図１はブッシングＢを装着する前の部分分解斜視図、図２はブッシングＢを装着した後の斜視図、図３は打抜き部２を打抜いた後の斜視図、図４は全体の分解斜視図である。
【０００９】
ケース１の一例としての分電盤の周部の側壁である上辺の壁３に複数個の打抜き部２…を形成している。打抜き部２は他の側壁や底面の壁３に形成してもよい。ケース１は分電盤でなくてもよい。
ケース１の上記の壁３に電線挿通用の例えば円形の打抜き部２を複数個並設している。打抜き部２は直径方向の両側で打抜き切断部４，４を介してケース１の壁３に連なっている。打抜き切断部４，４を除く打抜き部２と壁３との間にスリットＳを形成している。
【００１０】
ブッシングＢは電気絶縁材料にて円形に成形している。ブッシングＢには表面側にフランジ部Ｂｂを形成し、ブッシングＢの径方向におけるフランジ部Ｂｂの厚さ方向の中間部に脚部Ｂａを形成してある。脚部ＢａにはブッシングＢの径方向の両側に切欠きＢｆ，Ｂｆを形成している。
しかして、ブッシングＢの切欠きＢｆ，Ｂｆが打抜き切断部４，４を跨いで、ブッシングＢをスリットＳに係入するのであり、この場合、脚部Ｂａの外周面Ｂｃが壁３に形成した打抜き孔７（スリットＳ）の孔縁に弾性的に接触し、又、脚部Ｂａの内周面Ｂｄが打抜き部２の外周面２ａに弾性的に接触している。
【００１１】
このように、打抜き部２を打抜いた打抜き孔７の孔縁に残るブッシングＢをスリットＳに係入して壁３側に装着していて、ブッシングＢの保管をなくしている。そして、打抜き部２をドライバー等の工具にて叩いて、打抜き切断部４，４を切断することで、壁３に一連に形成している打抜き部２のみを打抜き、ブッシングＢは壁３側に残るのであり、施工現場においてブッシングＢを装着する作業をもなくすことができ、作業性を高めることができるのである。
【００１２】
ところで、打抜き部２と壁３とを接続している打抜き切断部４の打抜き部２側の巾Ｗ１  に比べて壁３側の巾Ｗ２  を小にしてある。
しかして、打抜き部２の打抜きに際して、打抜き切断部４は強度が弱い壁３側から切断されるのであり、したがって、切断箇所に生じるばりがブッシングＢの内面から突出するのがなく、ブッシングＢ内に挿通される電線の被覆を破損するような虞がなく、安全を確保することができるのである。
【００１３】
ケース１である配電盤には、支持桟５を介してブレーカ６や分配開閉器等の機器が収納されて取付けられている。機器ブロックの表面側にはそのハンドルを臨ませた表示板８を取付け、ケース１には開口枠９が取付けられ、開口枠９にはヒンジ１０を介して蓋１１が開閉自在に取付けられている。
【００１４】
【発明の効果】
請求項１においては、打抜き切断部を除く打抜き部と壁との間にスリットを形成し、打抜き部を打抜いた打抜き孔の孔縁に残るブッシングをスリットに係入して壁側に装着しているから、ブッシングの保管をなくすとともに施工現場においてブッシングを装着する作業をもなくすことができ、作業性を高めることができるという利点がある。
【００１５】
請求項２においては、打抜き部と壁とを接続している打抜き切断部の打抜き部側の巾に比べて壁３側の巾を小にしているから、打抜き部の打抜きに際して、打抜き切断部は強度が弱い壁側から切断されるのであり、したがって、切断箇所に生じるばりがブッシングの内面から突出するのがなく、ブッシング内に挿通される電線の被覆を破損するような虞がなく、安全を確保することができるという利点がある。
【図面の簡単な説明】
【図１】本発明の実施の一形態を示し、ブッシングを装着する前の部分分解斜視図である。
【図２】ブッシングを装着した後の斜視図である。
【図３】打抜き部を打抜いた後の斜視図である。
【図４】全体の分解斜視図である。
【図５】一部を拡大した分解斜視図である。
【符号の説明】
１  ケース
２  打抜き部
３  壁
４  打抜き切断部
７  打抜き孔
Ｂ  ブッシング
Ｗ１  打抜き切断部の打抜き部側の巾
Ｗ２  打抜き切断部の壁側の巾
【図１】
0003557879.tif 000002
【図２】
0003557879.tif 000003
【図３】
0003557879.tif 000004
【図４】
0003557879.tif 000005
【図５】
0003557879.tif 000006